(57)【要約】【課題】オートネゴシエーションの機能によらず、所定の通信条件を判定してこれが成立すると外部ノードとの通信開始に必要な設定を行う加入者宅側光回線終端装置を提供する。【解決手段】ＯＮＵ１００は、センタ側の光ファイバ４０と接続するための光入出力端を有する電気／光変換部１１０と、ＯＮＵ機能部１２０と、シリアル／パラレル変換部１３０と、外部ノードを接続するためのインタフェースモジュール１４０とを備えている。また、ＯＮＵ機能部１２０に管理用インタフェース１２３が設けられ、ＯＮＵ機能部１２０とシリアル／パラレル変換部１３０との間には第１の開閉スイッチ１８１および第２の開閉スイッチ１８２が設けられている。【選択図】図１
2009081800.tif 000002
【特許請求の範囲】
【請求項１】
センタ側の光伝送路に接続されて光電気変換及び逆光電気変換を行う電気／光変換部と、
前記電気／光変換部の電気信号入出力端に第１のシリアル伝送路で接続される光回線終端装置機能部と、
前記光回線終端装置機能部のパラレル信号入出力端にパラレル伝送路で接続されてシリアル・パラレル変換及び逆シリアル・パラレル変換を行うシリアル／パラレル変換部と、
前記シリアル／パラレル変換部のシリアル信号入出力端に第２のシリアル伝送路で接続されて外部ノードとの接続端を有するインタフェースモジュールと、
前記インタフェースモジュールから前記光回線終端装置機能部への上り信号伝送を前記光回線終端装置機能部から入力する第２の制御信号に従ってオンまたはオフにする上り信号伝送制御手段と、を備え、
前記光回線終端装置機能部は、所定の通信条件が成立したことを判定するまでは、前記上り信号伝送制御手段に対し前記上り信号伝送をオフにする前記第２の制御信号を出力し、
前記通信条件が成立したことを判定すると、所定時間経過後に前記上り信号伝送制御手段に対し前記上り信号伝送をオンにする前記第２の制御信号を出力する
ことを特徴とする加入者宅側光回線終端装置。
【請求項２】
前記光回線終端装置機能部から前記インタフェースモジュールへの下り信号伝送を前記光回線終端装置機能部から入力する第１の制御信号に従ってオンまたはオフにする下り信号伝送制御手段をさらに備え、
前記光回線終端装置機能部は、所定の通信条件が成立したことを判定するまでは、さらに前記下り信号伝送制御手段に対しても前記下り信号伝送をオフにする前記第１の制御信号を出力し、
前記通信条件が成立したことを判定すると、前記下り信号伝送制御手段に対し前記下り信号伝送をオンにする前記第１の制御信号を出力し、所定時間経過後に前記上り信号伝送制御手段に対し前記上り信号伝送をオンにする前記第２の制御信号を出力する
ことを特徴とする請求項１に記載の加入者宅側光回線終端装置。
【請求項３】
前記光回線終端装置機能部は、前記通信条件の成立を判定した後前記所定時間が経過するのを判定するためのタイマを備えている
ことを特徴とする請求項１または請求項２に記載の加入者宅側光回線終端装置。
【請求項４】
前記光回線終端装置機能部は、前記センタ側との通信を処理する第１ＭＡＣ部と、前記外部ノードとの通信を処理する第２ＭＡＣ部と、前記通信条件の成否を判定して前記第１の制御信号および前記第２の制御信号を出力する管理用インタフェースと、を備え、
前記管理用インタフェースは、前記センタ側からの光信号検出および前記センタとのＰＯＮリンク確立の２つの条件が成立したことを前記第１ＭＡＣ部から通知され、かつ前記第１ＭＡＣ部を介して前記センタから認証の条件が成立したことを通知されると、前記通信条件が成立したと判定する
ことを特徴とする請求項１乃至３のいずれか１項に記載の加入者宅側光回線終端装置。
【請求項５】
前記下り信号伝送制御手段および前記上り信号伝送制御手段として、前記パラレル伝送路に設けられたそれぞれ下り信号線を開閉するための第１の開閉スイッチおよび上り信号線を開閉するための第２の開閉スイッチを用い、
前記第１の制御信号および前記第２の制御信号は、それぞれ前記下り信号伝送および前記上り信号伝送をオンにするときに閉要求信号とされオフにするときに開要求信号とされる
ことを特徴とする請求項１乃至４のいずれか１項に記載の加入者宅側光回線終端装置。
【請求項６】
前記下り信号伝送制御手段および前記上り信号伝送制御手段として、前記第２のシリアル伝送路に設けられたそれぞれ下り信号線を開閉するための第３の開閉スイッチおよび上り信号線を開閉するための第４の開閉スイッチを用い、
前記第１の制御信号および前記第２の制御信号は、それぞれ前記下り信号伝送および前記上り信号伝送をオンにするときに閉要求信号とされオフにするときに開要求信号とされる
ことを特徴とする請求項１乃至４のいずれか１項に記載の加入者宅側光回線終端装置。
【請求項７】
前記下り信号伝送制御手段および前記上り信号伝送制御手段として、前記シリアル／パラレル変換部に備えられたそれぞれ下り信号に対する基準クロックをハーフレートに変換する第１のハーフレートスイッチおよび上り信号に対する基準クロックをハーフレートに変換する第２のハーフレートスイッチを用い、
前記第１の制御信号および前記第２の制御信号は、それぞれ前記下り信号伝送および前記上り信号伝送をオンにするときに前記基準クロックをハーフレートにしないためのオフ要求信号とされオフにするときに前記基準クロックをハーフレートにするためのオン要求信号とされる
ことを特徴とする請求項１乃至４のいずれか１項に記載の加入者宅側光回線終端装置。
【請求項８】
前記下り信号伝送制御手段および前記上り信号伝送制御手段として、前記シリアル／パラレル変換部に備えられたそれぞれ下りシリアル信号を所定ビット数ごとにビット区切りして判別する第１の区切り判別手段および上りシリアル信号を所定ビット数ごとにビット区切りして判別する第２の区切り判別手段を用い、
前記第１の制御信号および前記第２の制御信号は、それぞれ前記下り信号伝送および前記上り信号伝送をオンにするときに前記ビット区切りを行わせるためのオン要求信号とされオフにするときに前記ビット区切りを行わせないためのオフ要求信号とされる
ことを特徴とする請求項１乃至４のいずれか１項に記載の加入者宅側光回線終端装置。
【請求項９】
前記光回線終端装置機能部は、前記通信条件が成立したことを判定すると、前記下り信号伝送制御手段に対し前記下り信号伝送をオンにする前記第１の制御信号を出力した後に、所定のＩＤＬＥ信号を前記シリアル／パラレル変換部及び前記インタフェースモジュールを介して前記外部ノードに出力する
ことを特徴とする請求項１乃至８のいずれか１項に記載の加入者宅側光回線終端装置。
【発明の詳細な説明】
【技術分野】
【０００１】
本発明は、光伝送路の加入者宅側の終端に取り付けられる光回線終端装置に関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図７に示すように、センタの光回線終端装置（ＯＬＴ：Optical Line Termination）９０１からユーザ側に引き出される光ファイバ９０２にスプリッタ９０３が接続され、そのスプリッタ９０３により分岐された複数の光伝送路には光ファイバ９０４−１、…９０４−ｎを介して加入者宅の光回線終端装置（ＯＮＵ：Optical Network Unit）９０５−１、…９０５−ｎが接続される。
【０００４】
ＯＮＵ９０５−１、…９０５−ｎの構成を図８に示す。同図では、一例としてＯＮＵ９０５−１の構成を示しており、光トランシーバ部９０６、ＯＮＵ機能部９０７、及びイーサネット（登録商標）インタフェース９０８から構成され、各加入者宅の屋内に設置される。光トランシーバ部９０６には、例えば屋外から光成端ユニット９０９を介して屋内に引き込まれた光ファイバ９０４−１が接続される。
【０００５】
イーサネット（登録商標）インタフェース９０８として１０／１００／１０００ＢＡＳＥ−ＴＸ等を用いることができ、これに例えばＬＡＮケーブル９１０が接続される。ＬＡＮケーブル９１０には、コンピュータやプリンタ等の端末機器９１４を直接接続することができ、またルータ９１２やスイッチングハブ９１３等のスイッチを接続し、これに別の端末機器９１４を接続することもできる。
【特許文献１】特開平９−２１４５４１号公報
【発明の開示】
【発明が解決しようとする課題】
【０００６】
ＯＮＵと端末機器やスイッチ等（以下では外部ノードという）との間の通信を開始するために、それに必要な設定を自動的に行うオートネゴシエーションの機能が、ＯＮＵ内のＭＡＣ（Media Access Control）部及び外部ノードのＭＡＣ部のそれぞれに設けられている。オートネゴシエーションの機能は、１０／１００／１０００ＢＡＳＥ−ＴＸ等の通信規格や全二重／半二重といった通信モードを自動的に判定し、ＯＮＵのＭＡＣ部と外部ノードのＭＡＣ部との通信に適合した設定を自動的に行う機能である。しかしながら、外部ノードによってはオートネゴシエーションによる自動設定が適切に行えない場合があり、その場合にはオートネゴシエーションの処理がいつまでも完了しない等の問題が生じる。
【０００７】
オートネゴシエーションによる自動設定が適切に行えない外部ノードに対しては、この機能を予めオフにして固定方式で通信開始に必要な設定を行うことができる。しかし、外部ノードによっては、ＭＡＣ部のオートネゴシエーションの機能をオフにすることができないものがある。オートネゴシエーションによる自動設定が行えず、かつオートネゴシエーションの機能をオフにできない外部ノードについては、これを適切に接続する手段がこれまでなかった。
【０００８】
そこで、本発明はこれらの問題を解決するためになされたものであり、オートネゴシエーションの機能によらず外部ノードとの通信開始に必要な設定を行う加入者宅側光回線終端装置を提供することを目的とする。
【課題を解決するための手段】
【０００９】
本発明の加入者宅側光回線終端装置の第１の態様は、センタ側の光伝送路に接続されて光電気変換及び逆光電気変換を行う電気／光変換部と、前記電気／光変換部の電気信号入出力端に第１のシリアル伝送路で接続される光回線終端装置機能部と、前記光回線終端装置機能部のパラレル信号入出力端にパラレル伝送路で接続されてシリアル・パラレル変換及び逆シリアル・パラレル変換を行うシリアル／パラレル変換部と、前記シリアル／パラレル変換部のシリアル信号入出力端に第２のシリアル伝送路で接続されて外部ノードとの接続端を有するインタフェースモジュールと、前記インタフェースモジュールから前記光回線終端装置機能部への上り信号伝送を前記光回線終端装置機能部から入力する第２の制御信号に従ってオンまたはオフにする上り信号伝送制御手段と、を備え、前記光回線終端装置機能部は、所定の通信条件が成立したことを判定するまでは、前記上り信号伝送制御手段に対し前記上り信号伝送をオフにする前記第２の制御信号を出力し、前記通信条件が成立したことを判定すると、所定時間経過後に前記上り信号伝送制御手段に対し前記上り信号伝送をオンにする前記第２の制御信号を出力することを特徴とする。
【００１０】
本発明の加入者宅側光回線終端装置の他の態様は、前記光回線終端装置機能部から前記インタフェースモジュールへの下り信号伝送を前記光回線終端装置機能部から入力する第１の制御信号に従ってオンまたはオフにする下り信号伝送制御手段をさらに備え、前記光回線終端装置機能部は、所定の通信条件が成立したことを判定するまでは、さらに前記下り信号伝送制御手段に対しても前記下り信号伝送をオフにする前記第１の制御信号を出力し、前記通信条件が成立したことを判定すると、前記下り信号伝送制御手段に対し前記下り信号伝送をオンにする前記第１の制御信号を出力し、所定時間経過後に前記上り信号伝送制御手段に対し前記上り信号伝送をオンにする前記第２の制御信号を出力することを特徴とする。
【００１１】
本発明の加入者宅側光回線終端装置の他の態様は、前記光回線終端装置機能部は、前記通信条件の成立を判定した後前記所定時間が経過するのを判定するためのタイマを備えていることを特徴とする。
【００１２】
本発明の加入者宅側光回線終端装置の他の態様は、前記光回線終端装置機能部は、前記センタ側との通信を処理する第１ＭＡＣ部と、前記外部ノードとの通信を処理する第２ＭＡＣ部と、前記通信条件の成否を判定して前記第１の制御信号および前記第２の制御信号を出力する管理用インタフェースと、を備え、前記管理用インタフェースは、前記センタ側からの光信号検出および前記センタとのＰＯＮリンク確立の２つの条件が成立したことを前記第１ＭＡＣ部から通知され、かつ前記第１ＭＡＣ部を介して前記センタから認証の条件が成立したことを通知されると、前記通信条件が成立したと判定することを特徴とする。
【００１３】
本発明の加入者宅側光回線終端装置の他の態様は、前記下り信号伝送制御手段および前記上り信号伝送制御手段として、前記パラレル伝送路に設けられたそれぞれ下り信号線を開閉するための第１の開閉スイッチおよび上り信号線を開閉するための第２の開閉スイッチを用い、前記第１の制御信号および前記第２の制御信号は、それぞれ前記下り信号伝送および前記上り信号伝送をオンにするときに閉要求信号とされオフにするときに開要求信号となることを特徴とされる。
【００１４】
本発明の加入者宅側光回線終端装置の他の態様は、前記下り信号伝送制御手段および前記上り信号伝送制御手段として、前記第２のシリアル伝送路に設けられたそれぞれ下り信号線を開閉するための第３の開閉スイッチおよび上り信号線を開閉するための第４の開閉スイッチを用い、前記第１の制御信号および前記第２の制御信号は、それぞれ前記下り信号伝送および前記上り信号伝送をオンにするときに閉要求信号とされオフにするときに開要求信号とされることを特徴とする。
【００１５】
本発明の加入者宅側光回線終端装置の他の態様は、前記下り信号伝送制御手段および前記上り信号伝送制御手段として、前記シリアル／パラレル変換部に備えられたそれぞれ下り信号に対する基準クロックをハーフレートに変換する第１のハーフレートスイッチおよび上り信号に対する基準クロックをハーフレートに変換する第２のハーフレートスイッチを用い、前記第１の制御信号および前記第２の制御信号は、それぞれ前記下り信号伝送および前記上り信号伝送をオンにするときに前記基準クロックをハーフレートにしないためのオフ要求信号とされオフにするときに前記基準クロックをハーフレートにするためのオン要求信号とされることを特徴とする。
【００１６】
本発明の加入者宅側光回線終端装置の他の態様は、前記下り信号伝送制御手段および前記上り信号伝送制御手段として、前記シリアル／パラレル変換部に備えられたそれぞれ下りシリアル信号を所定ビット数ごとにビット区切りして判別する第１の区切り判別手段および上りシリアル信号を所定ビット数ごとにビット区切りして判別する第２の区切り判別手段を用い、前記第１の制御信号および前記第２の制御信号は、それぞれ前記下り信号伝送および前記上り信号伝送をオンにするときに前記ビット区切りを行わせるためのオン要求信号とされオフにするときに前記ビット区切りを行わせないためのオフ要求信号とされることを特徴とする。
【００１７】
本発明の加入者宅側光回線終端装置の他の態様は、前記光回線終端装置機能部は、前記通信条件が成立したことを判定すると、前記下り信号伝送制御手段に対し前記下り信号伝送をオンにする前記第１の制御信号を出力した後に、所定のＩＤＬＥ信号を前記シリアル／パラレル変換部及び前記インタフェースモジュールを介して前記外部ノードに出力する
ことを特徴とする。
【発明の効果】
【００１８】
本発明によれば、オートネゴシエーションの機能によらず外部ノードとの通信開始に必要な設定を行う加入者宅側光回線終端装置を提供することができる。通信開始に必要な設定が行われるまでは下り信号伝送制御手段および上り信号伝送制御手段で外部ノードとの通信を遮断するように構成したことから、信号の誤送信により通信エラーが発生するのを防止することができる。
【発明を実施するための最良の形態】
【００１９】
（第１の実施形態）
図面を参照して本発明の好ましい実施の形態における加入者宅側光回線終端装置（ＯＮＵ）の構成について詳細に説明する。本発明の第１の実施の形態に係る加入者宅側光回線終端装置の概略の構成を示すブロック図を図１に示す。同図に示すＯＮＵ１００は、図２に示すようなＰＯＮ型光伝送システムに用いられる装置である。図２は、本実施形態のＯＮＵ１００が用いられたＰＯＮ型光伝送システムの一例を示す構成図である。
【００２０】
図２のＰＯＮ型光伝送システム１において、センタに設けられるＰＯＮインタフェースカード１０は、光回線終端装置（ＯＬＴ）１１と認証機能部１２とを有しており、ＯＬＴ１１の光入出力端に光伝送路である光ファイバ２０の一端が接続されている。また、光ファイバ２０の他端、即ち加入者宅側には光カプラ（光合分波部）３０が接続されている。光カプラ３０において、光ファイバ２０の一つの光伝送路が光ファイバ４０−１、…、４０−ｎ（ｎ：自然数、以下では４０−１〜ｎと記す）の複数の光伝送路に分岐され、光ファイバ４０−１〜ｎのそれぞれにＯＮＵ５０−１〜ｎが接続されている。
【００２１】
ＯＮＵ５０−１〜ｎはそれぞれ加入者宅毎に設置され、これにパーソナルコンピュータやスイッチ等の外部ノードが接続される。図２では、ＯＮＵ５０−１にスイッチ７０が接続され、スイッチ７０に備えられた複数のポート７０ａに複数の端末機器８０が接続されている。スイッチ７０として、Ｌ２スイッチ、Ｌ３スイッチ、ルータ等が用いられる。
【００２２】
ＯＬＴ１１及びＯＮＵ５０−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標） PONの絡であり、ＩＥＥＥ８０２．３ａｈ規格に準拠した方式)の規定に適合した装置が使用される。
【００２３】
本実施形態のＯＮＵ１００は、図２に示したＯＮＵ５０−１〜ｎに用いられるものである。以下では、一例としてＯＮＵ５０−１に本実施形態のＯＮＵ１００を用いた実施例について説明する。ＯＮＵ１００は、図１に示すように、センタ側のＯＬＴ１１と光ファイバ４０を介して光信号で接続するために、光入出力端を有する電気／光変換部１１０を備えている。また、外部ノード（ここではスイッチ７０）とシリアルな電気信号で接続するために、シリアル／パラレル変換部１３０と外部ノードを接続するためのインタフェースモジュール１４０を備えている。
【００２４】
スイッチ７０は、インタフェースモジュール１４０に接続されるとともに、複数設けられたポート７０ａには端末機器８０が接続されている。このような構成により、複数の端末機器８０がＯＮＵ１００を介してセンタのＯＬＴ１１と接続されている。インタフェースモジュール１４０として、スイッチ７０に設けられたＭＳＡ（Multi-Source Agreement）インタフェーススロットに直接接続可能な規格に対応させたＭＳＡインタフェースモジュールを用いることができる。ＭＳＡインタフェースモジュールとして、ＧＢＩＣ、ＳＦＰ等のモジュールがある。
【００２５】
ＯＮＵ１００は、終端処理等を行う光回線終端装置機能部（ＯＮＵ機能部）１２０をさらに備えている。ＯＮＵ機能部１２０は、電気／光変換部１１０との間をシリアルな電気信号を伝送する第１のシリアル伝送路１５０ａ（下り信号線）、１５０ｂ（上り信号線）で接続され、シリアル／パラレル変換部１３０との間をパラレルな電気信号を伝送するパラレル伝送路１６０ａ（下り信号線）、１６０ｂ（上り信号線）で接続されている。シリアル／パラレル変換部１３０とインタフェースモジュール１４０との間は、シリアルな電気信号を伝送する第２のシリアル伝送路１７０ａ（下り信号線）、１７０ｂ（上り信号線）で接続されている。
【００２６】
電気／光変換部１１０は、センタのＯＬＴ１１から送信された光信号を電気信号に変換（光電気変換）し、この電気信号を下り信号線である第１のシリアル伝送路１５０ａを介してＯＮＵ機能部１２０に出力している。また、ＯＮＵ機能部１２０から上り信号線である第１のシリアル伝送路１５０ｂを介して入力した電気信号を光信号に変換（逆光電気変換）し、この光信号をＯＬＴ１１に送信している。
【００２７】
ＯＮＵ機能部１２０は、電気／光変換部１１０から入力したシリアル信号をパラレル信号に変換し、所定の処理を行った後これを下り信号線であるパラレル伝送路１６０ａを介してシリアル／パラレル変換部１３０に出力している。また、シリアル／パラレル変換部１３０から上り信号線であるパラレル伝送路１６０ｂを介して入力したパラレル信号を、所定の処理を行った後シリアル信号に変換して電気／光変換部１１０に出力している。ＯＮＵ機能部１２０とシリアル／パラレル変換部１３０との間で伝送されるパラレル信号は、例えば１０ビットの信号とすることができる。
【００２８】
シリアル／パラレル変換部１３０は、ＯＮＵ機能部１２０から入力したパラレル信号をシリアル信号に変換し、これを下り信号線である第２のシリアル伝送路１７０ａ及びインタフェースモジュール１４０を介してスイッチ７０に出力している。また、スイッチ７０からインタフェースモジュール１４０及び上り信号線である第２のシリアル伝送路１７０ｂを介して入力したシリアル信号をパラレル信号に変換してＯＮＵ機能部１２０に出力している。
【００２９】
ＯＮＵ機能部１２０は、第１ＭＡＣ部１２１と第２ＭＡＣ部１２２の２つのＭＡＣ部と、管理用インタフェース１２３と、タイマ１２４とを備えており、第１ＭＡＣ部１２１と第２ＭＡＣ部１２２はＩＥＥＥ８０２．３ａｈ準拠の媒体アクセス制御（ＭＡＣ：Media Access Control）を行っている。ＯＮＵ機能部１２０の詳細な構成の一例を図３に示す。
【００３０】
図３に示すＯＮＵ機能部１２０において、第１ＭＡＣ部１２１は、ギガビット・シリアライザ／デシリアライザ（Gigabit SERDES）１２５を介して電気／光変換部１１０の電気信号端に接続されている。また、第１ＭＡＣ部１２１は、ＥＰＯＮ（Ethernet （登録商標）Passive Optical Network）ルックアップエンジン１２６、スイッチ１２７及びギガビット・イーサネット（登録商標）ルックアップエンジン１２８を介して第２ＭＡＣ１２２に接続されている。
【００３１】
第１ＭＡＣ部１２１に接続された管理用インタフェース１２３は、電気／光変換部１１０、ギガビット・シリアライザ／デシリアライザ１２５、及び第１ＭＡＣ部１２１を介してＯＬＴ１１との間で通信確立のための所定の手順を行う。
【００３２】
第２ＭＡＣ部１２２は、例えば１０Ｍｂｐｓ、１００Ｍｂｐｓ及び１Ｇｂｐｓイーサネット（登録商標）のＭＡＣ機能を有し、パラレルインタフェースとして１０ビットインタフェース（ＴＢＩ）部１２２ａを有する構成とすることができる。ＴＢＩ部１２２ａは、１０本の下り信号線１６０ａと１０本の上り信号線１６０ｂを介してシリアル／パラレル変換部１３０に接続される。
【００３３】
第１ＭＡＣ部１２１は、センタのＯＬＴ１１との通信に係るＭＡＣ処理を行っており、第２ＭＡＣ１２２部は、スイッチ７０との通信に係るＭＡＣ処理を行っている。図１では、図３に一例として示したＯＮＵ機能部１２０の詳細な構成を簡略化して、第１ＭＡＣ部１２１、第２ＭＡＣ部１２２、管理用インタフェース１２３、およびタイマ１２４のみを表示している。
【００３４】
上記のように構成された本実施形態のＯＮＵ１００をスイッチ７０に接続するとき、両者の通信を可能とするために通信規格や通信モードを適切に設定する必要がある。このような設定を自動的に行うために、オートネゴシエーションの機能がＯＮＵ内の第２ＭＡＣ部１２２とスイッチ７０のＭＡＣ部（以下では外部ノードＭＡＣ部という）７１のそれぞれに設けられている。しかしながら、スイッチ７０によってはＯＮＵ１００との間でこのオートネゴシエーション機能による自動設定が適切に行えない場合があり、その場合にはオートネゴシエーションの機能を停止して固定方式で通信条件を設定することができる。
【００３５】
しかし、スイッチ７０によっては、外部ノードＭＡＣ部７１のオートネゴシエーション機能を停止させることができないものがある。本実施形態のＯＮＵ１００は、このようなスイッチ７０とも接続可能とするために、スイッチ７０との間で伝送されるオートネゴシエーション信号を遮断するための下り信号伝送制御手段および上り信号伝送制御手段を備えている。
【００３６】
本実施形態では、下り信号伝送制御手段および上り信号伝送制御手段として、ＯＮＵ機能部１２０とシリアル／パラレル変換部１３０との間のパラレル伝送路１６０ａ、１６０ｂの途中に、それぞれ第１の開閉スイッチ１８１および第２の開閉スイッチ１８２を設けている。
【００３７】
第１の開閉スイッチ１８１および第２の開閉スイッチ１８２を用いてスイッチ７０との通信を確立させる方法を以下に説明する。まず、第１の開閉スイッチ１８１および第２の開閉スイッチ１８２は、ＯＬＴ１１とＯＮＵ１００との間で所定の通信条件が成立するまでは、ともに開状態にしておく。これにより、ＯＮＵ１００とスイッチ７０との間でオートネゴシエーション信号を伝送させないようにすることができる。
【００３８】
次に、管理用インタフェース１２３で所定の通信条件を判定させ、その判定結果に基づいて第１の開閉スイッチ１８１および第２の開閉スイッチ１８２にそれぞれ第１の制御信号１８３および第２の制御信号１８４を出力させる。所定の通信条件が成立するまでは、第１の制御信号１８３および第２の制御信号１８４はともに開要求信号であり、これにより第１の開閉スイッチ１８１および第２の開閉スイッチ１８２はともに開状態に制御されている。
【００３９】
管理用インタフェース１２３で判定させる通信条件として、光信号検出、ＰＯＮリンク、及び認証の３つの条件を用いることができ、３つの条件がすべて成立したときに通信条件が成立したと判定させることができる。光信号検出の確認は、ＯＬＴ１１からの光信号が検出されたことを第１ＭＡＣ部１２１で確認するものである。また、ＰＯＮリンクは、ＯＬＴ１１と第１ＭＡＣ部１２１との間で所定の信号交換を行い、所定の条件が満たされていると確認されたときにＰＯＮリンクが確立したと判定される。ＰＯＮリンクの確立は、ＯＳＩ(Open Systems Interconnection)参照モデルにおける第２層のリンク確立に相当する。さらに認証の確認は、ＯＬＴ１１とＯＮＵ１００との間のＰＯＮリンクが確立された後に、センタ側の認証機能部１２で行われる。認証機能部１２は、ＯＮＵ１００の接続相手（加入者）を識別するために、ＯＮＵ１００にアクセスして第１ＭＡＣ部１２１が保有する認証モードのデータを取得し、これをもとにＯＮＵ１００の接続相手を識別できたときに認証を行う。
【００４０】
管理用インタフェース１２３は、上記の光信号検出およびＰＯＮリンク確立の２つの条件が成立したことを第１ＭＡＣ部１２１から通知され、かつ第１ＭＡＣ部１２１を介してセンタ側の認証機能部１２から認証の条件が成立したことを通知されると、通信条件が成立したと判定する。通信条件の成立が判定されると、まず第１の制御信号１８３を開要求信号から閉要求信号に変更して第１の開閉スイッチ１８１を閉状態に制御する。第１の開閉スイッチ１８１が閉状態に変更されると、第２ＭＡＣ部１２２からＩＤＬＥ信号を出力させ、これがパラレル伝送路１６０ａを通過して外部ノード７０の外部ノードＭＡＣ部７１に出力される。
【００４１】
また、通信条件の成立判定と同時にタイマ１２４を起動させ、所定時間が経過するまでを計数させる。所定時間として、略１００ｍｓ、あるいはそれ以下とするのがよい。タイマ１２４で所定時間の経過が判定されると、これを管理用インタフェース１２３に通知する。管理用インタフェース１２３は、タイマ１２４から所定時間の経過を通知されると、次に第２の制御信号１８４を開要求信号から閉要求信号に変更して第２の開閉スイッチ１８２を閉状態に制御する。
【００４２】
一方、外部ノードＭＡＣ部７１は、第２ＭＡＣ部１２２からＩＤＬＥ信号を入力すると、ＯＬＴ１１との間で通信が確立されたと判定し、オートネゴシエーション信号の出力を停止する。
【００４３】
第１の制御信号１８３および第２の制御信号１８４は、開要求信号として例えば「１」の信号とし、閉要求信号として「０」の信号とすることができる。また、通信条件の成立と同時に値が変更される第１の制御信号１８３をＧＰＩＯ信号として用いることができる。第１の制御信号１８３をＧＰＩＯ端子１２０ａを介してスイッチ７０に出力することで、スイッチ７０の外部ノードＭＡＣ部７１に通信状態を通知するためのＳＤ（Signal Detection）／ＬＯＳＳ信号１２３ｂとすることができる。外部ノードＭＡＣ部７１は、第２ＭＡＣ部１２２からＩＤＬＥ信号を入力するとともに、第１の制御信号１８３であるＳＤ／ＬＯＳＳ信号１２３ｂを併せて確認することで、ＯＬＴ１１との間で通信が確立されたと判定するのがよい。
【００４４】
上記のように制御される第１の開閉スイッチ１８１および第２の開閉スイッチ１８２を設けることで、少なくとも管理用インタフェース１２３で通信条件の成立が判定されるまでは、ＯＮＵ１００とスイッチ７０との間でいずれの方向からも信号伝送できないようにすることができる。従って、例えばスイッチ７０からオートネゴシエーション信号が伝送されても、第２ＭＡＣ部１２２ではこの信号を受信できないことから、固定方式で通信規格や通信モードの設定を行う。また、仮にスイッチ７０から何らかの信号が誤送信された場合でも、この信号がＯＮＵ機能部１２０に入力されることはなく、ＯＮＵ１００側で通信エラーが発生するおそれもない。
【００４５】
管理用インタフェース１２３において光信号検出、ＰＯＮリンク、及び認証の３つの条件がすべて確認されて通信条件が成立したと判定されると、第１の制御信号１８３が開要求信号から閉要求信号に変更され、これを入力して第１の開閉スイッチ１８１が開状態から閉状態に変更される。それとともに、第２ＭＡＣ部１２２で生成されたＩＤＬＥ信号がパラレル伝送路１６０ａを通過してスイッチ７０に出力される。
また、タイマ１２４で所定時間の経過が判定されると、管理用インタフェース１２３は第２の制御信号１８４を開要求信号から閉要求信号に変更し、第２の開閉スイッチ１８２がこれを入力して開状態から閉状態に制御される。
【００４６】
第１の制御信号１８３はスイッチ７０側にも出力されており、ＯＬＴ１１とＯＮＵ１００とのリンク状態をスイッチ７０に通知するためのＳＤ／ＬＯＳＳ信号１２３ｂに用いられている。ＳＤ／ＬＯＳＳ信号１２３ｂとして、管理用インタフェース１２３で通信条件の成立が判定されるまではロス状態に対応する信号（制御信号としては開要求信号）となっており、通信条件が成立したと判定された後はロス状態の解除に対応する信号（制御信号としては閉要求信号）となっている。
【００４７】
外部ノードＭＡＣ部７１は、ＯＮＵ１００側からＩＤＬＥ信号を入力するとともにＳＤ／ＬＯＳＳ信号１２３ｂがロス状態の解除に対応する信号になっていることを確認すると、ＯＮＵ１００との通信条件が成立したと判定してオートネゴシエーション信号の出力を停止する。
【００４８】
上記説明のように、本実施形態のＯＮＵ１００によれば、スイッチ７０との間でオートネゴシエーション機能が適切に処理されない場合でも、管理用インタフェース１２３で所定の通信条件の成立が判定されるまでは第１の開閉スイッチ１８１および第２の開閉スイッチ１８２を開状態にしてスイッチ７０との間の信号伝送を遮断することにより、第２ＭＡＣ部１２２で通信規格や通信モードを固定方式で設定することが可能となる。また、通信条件の成立が確認されるとまず第１の開閉スイッチ１８１のみを閉状態にして外部ノードＭＡＣ部７１でＯＬＴ１１との通信確立を確認できるようにし、その後所定時間が経過してから第２の開閉スイッチ１８２を閉状態に制御するようにしている。これにより、ＯＬＴ１１との通信確立が確認される前にスイッチ７０からオートネゴシエーション信号が第２ＭＡＣ部１２２に入力されるのを防止することができる。
【００４９】
（第２の実施形態）
本発明の第２の実施の形態に係る加入者宅側光回線終端装置の概略の構成を示すブロック図を図４に示す。本実施形態のＯＮＵ２００では、下り信号伝送制御手段および上り信号伝送制御手段として、シリアル／パラレル変換部１３０のシリアル信号端側、すなわちシリアル／パラレル変換部１３０とインタフェースモジュール１４０との間の第２のシリアル伝送路１７０ａ（下り信号線）および１７０ｂ（下り信号線）に、それぞれ第３の開閉スイッチ２８１および第４の開閉スイッチ２８２を設けている。第１の実施形態のＯＮＵ１００では、第１の開閉スイッチ１８１および第２の開閉スイッチ１８２をシリアル／パラレル変換部１３０のパラレル信号端側に設けたが、本実施形態のＯＮＵ２００では第３の開閉スイッチ２８１および第４の開閉スイッチ２８２をシリアル／パラレル変換部１３０のシリアル信号端側に設けるように構成している。
【００５０】
本実施形態でも、管理用インタフェース１２３で通信条件の成立が判定されるまでは、第１の制御信号２８３および第２の制御信号２８４をともに開要求信号とすることで、第３の開閉スイッチ２８１および第４の開閉スイッチ２８２を開状態とする。そして、通信条件の成立が判定された後にまず第１の制御信号２８３を閉要求信号に変更して第３の開閉スイッチ２８１を閉状態に変更する。また、通信条件の成立判定から所定時間経過後に第２の制御信号２８４を閉要求信号に変更して第４の開閉スイッチ２８２を閉状態に変更する。
【００５１】
外部ノードＭＡＣ部７１は、第３の開閉スイッチ２８１が閉状態に変更されてＩＤＬＥ信号を第２ＭＡＣ部１２２から入力するとともに、第１の制御信号２８３であるＳＤ／ＬＯＳＳ信号２２３ｂがロス状態の解除に対応する信号であることを確認することで、オートネゴシエーション信号の出力を停止する。これにより、通信条件の成立判定から所定時間経過後に第４の開閉スイッチ２８２が閉状態に変更されても、外部ノードＭＡＣ部７１から第２ＭＡＣ部１２２に誤ってオートネゴシエーション信号が出力されることはない。
【００５２】
（第３の実施形態）
本発明の第３の実施の形態に係る加入者宅側光回線終端装置の概略の構成を示すブロック図を図５に示す。本実施形態のＯＮＵ３００では、下り信号伝送制御手段および上り信号伝送制御手段として、シリアル／パラレル変換部３３０に備えられた基準クロック（図示せず）をハーフレートに変換するための第１のハーフレートスイッチ３８１および第２のハーフレートスイッチ３８２を用いている。第１のハーフレートスイッチ３８１は、下り信号伝送に対する基準クロックをハーフレートに変換するものであり、第２のハーフレートスイッチ３８２は、上り信号伝送に対する基準クロックをハーフレートに変換するものである。下り信号伝送制御手段および上り信号伝送制御手段として、それぞれ第１のハーフレートスイッチ３８１および第２のハーフレートスイッチ３８２を用いる。
【００５３】
シリアル／パラレル変換部３３０は、ＯＮＵ機能部１２０またはスイッチ７０から入力したデータを、それぞれに同期させた基準クロックに基づいて変換処理等を行っている。そのため、基準クロックがデータに同期させた状態からずれてしまうと、ＯＮＵ機能部１２０またはスイッチ７０から入力したデータを正常に処理できなくなってしまう。
【００５４】
シリアル／パラレル変換部２３０には、基準クロックを半分にするための第１のハーフレートスイッチ３８１および第２のハーフレートスイッチ３８２が設けられており、これをオンにすると、例えば基準クロックが１００Ｍｂｐｓの場合には、５０Ｍｂｐｓで動作するようになる。その結果、１００Ｍｂｐｓで処理すべきデータを５０Ｍｂｐｓで処理することになり、正常なデータがスイッチ７０またはＯＮＵ機能部１２０側に伝送されなくなってしまう。
【００５５】
本実施形態では、第１のハーフレートスイッチ３８１をオンにすることでＯＮＵ機能部１２０から伝送される信号がスイッチ７０に正常に伝送されないようにしており、同様に第２のハーフレートスイッチ３８２をオンにすることでスイッチ７０から伝送される信号がＯＮＵ機能部１２０に正常に伝送されないようにしている。従って、通信が確立される前に第１のハーフレートスイッチ３８１および第２のハーフレートスイッチ３８２をともにオンにすると、第２ＭＡＣ部１２２と外部ノードＭＡＣ部７１との間でオートネゴシエーション信号を正常に送受信できなくなり、第１の実施形態においてＯＮＵ機能部１２０とスイッチ７０との間で信号が遮断されたのと実質的に同じ状態になる。その結果、第２ＭＡＣ部１２２では固定方式で通信規格や通信モードの設定を行うことになる。
【００５６】
本実施形態では、管理用インタフェース１２３で通信条件の成立が判定されるまでは、管理用インタフェース１２３から第１のハーフレートスイッチ３８１および第２のハーフレートスイッチ３８２に対し、ともにオン要求信号となっている第１の制御信号３８３および第２の制御信号３８４をそれぞれ出力する。そして、管理用インタフェース１２３で通信条件の成立が判定されたときに、まず第１の制御信号３８３がオフ要求信号に変更されて第１のハーフレートスイッチ３８１をオフにする。この第１の制御信号３８３は、ＳＤ／ＬＯＳＳ信号３２３ｂとしてスイッチ７０にも出力される。
次に、タイマ１２４により通信条件の成立が判定されてから所定時間が経過したと判定されると、第２の制御信号３８４がオフ要求信号に変更されて第２のハーフレートスイッチ３８２がオフに変更される。
【００５７】
上記のように本実施形態のＯＮＵ３００でも、管理用インタフェース１２３で通信条件の成立が判定されるまでは、第１の制御信号３８３および第２の制御信号３８４をともにオン要求信号とすることで、第１のハーフレートスイッチ３８１および第２のハーフレートスイッチ３８２をともにオン状態とする。そして、通信条件の成立が判定された後にまず第１の制御信号３８３をオフ要求信号に変更して第１のハーフレートスイッチ３８１をオフ状態に変更する。また、通信条件の成立判定から所定時間経過後に第２の制御信号３８４をオフ要求信号に変更して第２のハーフレートスイッチ３８２をオフ状態に変更する。
【００５８】
外部ノードＭＡＣ部７１は、第１のハーフレートスイッチ３８１がオフ状態に変更されて正常なＩＤＬＥ信号を第２ＭＡＣ部１２２から入力するとともに、第１の制御信号３８３であるＳＤ／ＬＯＳＳ信号３２３ｂがロス状態の解除に対応する信号であることを確認することで、オートネゴシエーション信号の出力を停止する。これにより、通信条件の成立判定から所定時間経過後に第２のハーフレートスイッチ３８２がオフ状態に変更されても、外部ノードＭＡＣ部７１から第２ＭＡＣ部１２２に誤ってオートネゴシエーション信号が出力されることはない。
【００５９】
（第４の実施形態）
本発明の第４の実施の形態に係る加入者宅側光回線終端装置の概略の構成を示すブロック図を図６に示す。本実施形態のＯＮＵ４００では、下り信号伝送制御手段および上り信号伝送制御手段として、シリアル／パラレル変換部４３０に備えられている第１の区切り判別手段４８１および第２の区切り判別手段４８２を用いている。第１の区切り判別手段４８１は、ＯＮＵ機能部１２０から入力したパラレル信号を正確にシリアル信号に変換するために、パラレル信号のそれぞれの区切りを判別している。また、第２の区切り判別手段４８２は、スイッチ７０から入力したシリアル信号を正確にパラレル信号に変換するために、シリアル信号の区切りを判別している。
【００６０】
各信号は、所定の個数を１単位として１つのデータに対応していることから、第１の区切り判別手段４８１および第２の区切り判別手段４８２では、１つのデータに対応する先頭ビットと最後尾ビット、すなわち各信号の区切りを判別している。第１の区切り判別手段４８１および第２の区切り判別手段４８２のそれぞれで区切られた所定個数のパラレル信号またはシリアル信号が、シリアル／パラレル変換部４３０で１つのシリアル信号またはパラレル信号に変換される。一例として、スイッチ７０から入力したシリアル信号をシリアル／パラレル変換部４３０で１０ビットのパラレル信号に変換する場合、第２の区切り判別手段４８２は、シリアル信号に対し１０個ごとの区切りを判別し、これによって区切られた１０個のシリアル信号を１つのパラレル信号に正確に変換している。
【００６１】
上記の通り、第１の区切り判別手段４８１および第２の区切り判別手段４８２は、パラレル信号とシリアル信号との相互変換を行う上で重要な機能となっており、これが正常に動作しない場合には、パラレル信号とシリアル信号との正常な相互変換を行うことはできない。そこで、本実施形態では、第１の区切り判別手段４８１をオフにすることでＯＮＵ機能部１２０から伝送される信号がスイッチ７０に正常に伝送されないようにしており、同様に第２の区切り判別手段４８２をオフにすることでスイッチ７０から伝送される信号がＯＮＵ機能部１２０に正常に伝送されないようにしている。従って、通信が確立される前に第１の区切り判別手段４８１および第２の区切り判別手段４８２をともにオフにすると、第２ＭＡＣ部１２２と外部ノードＭＡＣ部７１との間でオートネゴシエーション信号を正常に送受信できなくなり、第１の実施形態においてＯＮＵ機能部１２０とスイッチ７０との間で信号が遮断されたのと実質的に同じ状態になる。その結果、第２ＭＡＣ部１２２では固定方式で通信規格や通信モードの設定を行うことになる。
【００６２】
本実施形態では、管理用インタフェース１２３で通信条件の成立が判定されるまでは、管理用インタフェース１２３から第１の区切り判別手段４８１および第２の区切り判別手段４８２に対し、ともにオフ要求信号となっている第１の制御信号４８３および第２の制御信号４８４をそれぞれ出力する。そして、管理用インタフェース１２３で通信条件の成立が判定されたときに、まず第１の制御信号４８３がオン要求信号に変更されて第１の区切り判別手段４８１をオンにする。この第１の制御信号４８３は、ＳＤ／ＬＯＳＳ信号４２３ｂとしてスイッチ７０にも出力される。
次に、タイマ１２４により通信条件の成立が判定されてから所定時間が経過したと判定されると、第２の制御信号４８４がオン要求信号に変更されて第２の区切り判別手段４８２がオンに変更される。
【００６３】
上記のように本実施形態のＯＮＵ４００でも、管理用インタフェース１２３で通信条件の成立が判定されるまでは、第１の制御信号４８３および第２の制御信号４８４をともにオフ要求信号とすることで、第１の区切り判別手段４８１および第２の区切り判別手段４８２をともにオフ状態とする。そして、通信条件の成立が判定された後にまず第１の制御信号４８３をオン要求信号に変更して第１の区切り判別手段４８１をオン状態に変更する。また、通信条件の成立判定から所定時間経過後に第２の制御信号４８４をオン要求信号に変更して第２の区切り判別手段４８２をオン状態に変更する。
【００６４】
外部ノードＭＡＣ部７１は、第１の区切り判別手段４８１がオン状態に変更されて正常なＩＤＬＥ信号を第２ＭＡＣ部１２２から入力するとともに、第１の制御信号４８３であるＳＤ／ＬＯＳＳ信号４２３ｂがロス状態の解除に対応する信号であることを確認することで、オートネゴシエーション信号の出力を停止する。これにより、通信条件の成立判定から所定時間経過後に第２の区切り判別手段４８２がオン状態に変更されても、外部ノードＭＡＣ部７１から第２ＭＡＣ部１２２に誤ってオートネゴシエーション信号が出力されることはない。
【００６５】
なお、本実施の形態における記述は、本発明に係る加入者宅側光回線終端装置の一例を示すものであり、これに限定されるものではない。本実施の形態における加入者宅側光回線終端装置の細部構成及び詳細な動作等に関しては、本発明の趣旨を逸脱しない範囲で適宜変更可能である。
【図面の簡単な説明】
【００６６】
【図１】本発明の第１の実施形態に係る加入者宅側光回線終端装置の概略構成を示すブロック図である。
【図２】ＰＯＮ型光伝送システムの一例を示す構成図である。
【図３】ＯＮＵ機能部の詳細な構成の一例を示すブロック図である。
【図４】本発明の第２の実施形態に係る加入者宅側光回線終端装置の概略構成を示すブロック図である。
【図５】本発明の第３の実施形態に係る加入者宅側光回線終端装置の概略構成を示すブロック図である。
【図６】本発明の第４の実施形態に係る加入者宅側光回線終端装置の概略構成を示すブロック図である。
【図７】従来の光伝送システムを示す構成図である。
【図８】従来の光伝送システムの加入者宅側光回線終端装置の概略構成を示すブロック図である。
【符号の説明】
【００６７】
１      ＰＯＮ型光伝送システム
１０    ＰＯＮインタフェースカード
１１、９０１    ＯＬＴ
１２    認証機能部２０、４０、９０２、９０４    光ファイバ
３０、９０３    光カプラ
５０    ＯＮＵ
７０    スイッチ
７１    外部ノードＭＡＣ部
８０、９１４    端末機器
１００、２００、３００、４００、９０５    加入者宅側光回線終端装置
１１０    電気／光変換部
１２０，９０７    ＯＮＵ機能部
１２１    第１ＭＡＣ部
１２２    第２ＭＡＣ部
１２３    管理用インタフェース
１２３ａ、２２３ａ、３２３ａ、４２３ａ    制御信号
１２３ｂ、２２３ｂ、３２３ｂ、４２３ｂ    ＳＤ／ＬＯＳＳ信号
１２４    タイマ
１３０、２３０、３３０    シリアル／パラレル変換部
１４０    インタフェースモジュール
１５０ａ、１５０ｂ    第１のシリアル伝送路
１６０ａ、１６０ｂ    パラレル伝送路
１７０ａ、１７０ｂ    第２のシリアル伝送路
１８１、１８２、２８１、２８２    開閉スイッチ
１８３、２８３、３８３、４８３    第１の制御信号
１８４、２８４、３８４、４８４    第２の制御信号
３８１、３８２    ハーフレートスイッチ
４８１、４８２    区切り判別手段
【図１】
2009081800.tif 000003
【図２】
2009081800.tif 000004
【図３】
2009081800.tif 000005
【図４】
2009081800.tif 000006
【図５】
2009081800.tif 000007
【図６】
2009081800.tif 000008
【図７】
2009081800.tif 000009
【図８】
2009081800.tif 000010